(57)【要約】【課題】複数の入力系統を備え、入力系統の切り換えが順次切り換え式の信号再生装置において、所望の入力系統を素早く選択できるようにする。【解決手段】信号再生装置において入力系統１２ａと制御装置１４との間に比較器３１、ダイオード３３及びコンデンサ３４を備える信号検出回路３０ａを設ける。比較器３１の反転入力端子（＋）には入力系統１２ａの映像信号入力端子が、非反転入力端子（−）には基準電圧Ｖｒｅｆが接続され、出力端子にはダイオード３３のアノードが接続されている。ダイオード３３のカソードはコンデンサ３４の一端及び制御装置１４が接続され、コンデンサ３４の他端は接地されており、ダイオード３３とコンデンサ３４で整流器３２を構成する。【選択図】図２
2008199239.tif 000002
【特許請求の範囲】
【請求項１】
複数の入力系統と、前記入力系統のそれぞれに入力された信号を受信する信号処理部と、前記信号処理部に入力された信号のいずれかを出力する再生出力部と、前記再生出力部に出力する信号の前記入力系統を順次切り換え式で切り換える入力切換部と、使用者が操作して前記入力系統を切り換える切換信号を出力する操作部と、前記操作部からの前記切換信号を受けて前記入力切換部に前記入力系統を切り換えさせる制御装置とを備える信号再生装置において、
前記入力系統と前記制御装置との間に、非反転入力に前記入力系統が接続され反転入力に基準電圧が接続された比較器と、アノードが前記比較器の出力に接続されカソードが前記制御装置に接続されたダイオードと、一端が前記ダイオードのアノードに接続され他端が接地されたコンデンサとからなる信号検出回路を備え、
前記信号検出回路から出力される電圧が所定の電圧未満である場合は、該当する前記入力系統を入力系統の切り換えの際にスキップすることを特徴とする信号再生装置。
【請求項２】
複数の入力系統と、前記入力系統のそれぞれに入力された信号を受信する信号処理部と、前記信号処理部から出力する信号の前記入力系統を順次切り換え式で切り換える入力切換部と、使用者が操作して前記入力系統を切り換える切換信号を出力する操作部と、前記操作部からの前記切換信号を受けて前記入力切換部に前記入力系統を切り換えさせる制御装置とを備える信号処理装置において、
前記入力系統と前記制御装置との間に、非反転入力に前記入力系統が接続され反転入力に基準電圧が接続された比較器と、アノードが前記比較器の出力に接続されカソードが前記制御装置に接続されたダイオードと、一端が前記ダイオードのアノードに接続され他端が接地されたコンデンサとからなる信号検出回路を備え、
前記信号検出回路から出力される電圧が所定の電圧未満である場合は、該当する前記入力系統を入力系統の切り換えの際にスキップすることを特徴とする信号処理装置。
【請求項３】
前記入力系統が映像信号入力端子及び音声信号入力端子のうち少なくとも一方を有し、前記映像信号入力端子及び前記音声信号入力端子の少なくとも一方が前記信号検出回路に接続されることを特徴とする請求項２に記載の信号処理装置。
【請求項４】
請求項２又は請求項３に記載の信号処理装置と、前記信号処理部に入力された信号のいずれかを出力する再生出力部とを備えることを特徴とする信号再生装置。
【発明の詳細な説明】
【技術分野】
【０００１】
本発明は、複数の信号入力端子を備え、信号入力端子の切り換えが順次切り換え式の信号処理装置及び信号再生装置に関する。
【背景技術】
【０００２】
ＣＲＴ（Ｃａｔｈｏｄｅ  Ｒａｙ  Ｔｕｂｅ；陰極線管）や液晶表示装置のような信号再生装置やこのような信号再生装置を備えたテレビにおいて、複数の音声・画像信号入力端子が設けられ、ビデオデッキやＤＶＤプレーヤなどのＡＶ（Ａｕｄｉｏ  Ｖｉｄｕａｌ）機器が複数接続できるようになっているものがある。このような表示装置等では、所望の端子又は表示を選択するためのボタンなどの切り換えスイッチが本体やリモコンに設けられており、所望の端子からの入力を使用者が選択して出力させることとなる。
【０００３】
その選択方法として、例えば本願出願人はＯＳＤ（Ｏｎ  Ｓｃｒｅｅｎ  Ｄｉｓｐｌａｙ；オンスクリーンディスプレイ）の画面表示を利用したものを提案している（特許文献１）。この方法では、ＯＳＤとして画面上に端子及びその端子への機器の接続状況が表示され、所望の端子を選択しやすくなる。
【０００４】
特許文献１では、ＯＳＤ（Ｏｎ  Ｓｃｒｅｅｎ  Ｄｉｓｐｌａｙ；オンスクリーンディスプレイ）として画面上に端子及びその端子への機器の接続状況が表示され、所望の端子を選択しやすくする方法が提案されている。
【０００５】
しかし、特許文献１の方法を用いても、切り換えスイッチが順次切り換え式のものである場合、機器が接続されていない端子や信号が入力されていない端子のように、選択される可能性の低い端子も含めて切り換えられる。そのため、所望の画像や音声を再生する機器が接続された端子が選択されるまで切り換えスイッチを押す回数が多くなる。そこで、切り換えの際に、機器が接続されていない端子をスキップする方法（特許文献２）や、映像信号が入力されていない端子をスキップする方法（特許文献３）が提案されている。
【０００６】
さらに、機器が接続されていても、その機器の電源が入っていないなどの理由でその機器から信号が入力されていない端子は選択される可能性が低いため、特許文献３では映像信号に含まれる同期信号を検出することで映像信号が入力されていない端子を切換の際にスキップする方法が提案されている。
【特許文献１】特開２００６−０３３５６号公報
【特許文献２】特開平１０−２６２１９０号公報
【特許文献３】特開平５−２０７３８６号公報
【発明の開示】
【発明が解決しようとする課題】
【０００７】
しかし、特許文献３で提案された方法では映像信号から同期信号を検出しなければならず、特別な回路を設ける必要がある。
【０００８】
そこで本発明は、簡単な回路を設けるだけで、入力系統を選択する際に信号が入力されていない入力系統をスキップし、素早く所望の入力系統を選択することができる、順次切り換え式の切換スイッチを有する信号処理装置及びこれを備えた信号再生装置を提供することを目的とする。
【課題を解決するための手段】
【０００９】
上記目的を達成するため、本発明は、複数の入力系統と、前記入力系統のそれぞれに入力された信号を受信する信号処理部と、前記信号処理部に入力された信号のいずれかを出力する再生出力部と、前記再生出力部に出力する信号の前記入力系統を順次切り換え式で切り換える入力切換部と、使用者が操作して前記入力系統を切り換える切換信号を出力する操作部と、前記操作部からの前記切換信号を受けて前記入力切換部に前記入力系統を切り換えさせる制御装置とを備える信号再生装置において、前記入力系統と前記制御装置との間に、非反転入力に前記入力系統が接続され反転入力に基準電圧が接続された比較器と、アノードが前記比較器の出力に接続されカソードが前記制御装置に接続されたダイオードと、一端が前記ダイオードのアノードに接続され他端が接地されたコンデンサとからなる信号検出回路を備え、前記信号検出回路から出力される電圧が所定の電圧未満である場合は、該当する前記入力系統を入力系統の切り換えの際にスキップすることを特徴とする。
【００１０】
また本発明は、複数の入力系統と、前記入力系統のそれぞれに入力された信号を受信する信号処理部と、前記信号処理部から出力する信号の前記入力系統を順次切り換え式で切り換える入力切換部と、使用者が操作して前記入力系統を切り換える切換信号を出力する操作部と、前記操作部からの前記切換信号を受けて前記入力切換部に前記入力系統を切り換えさせる制御装置とを備える信号処理装置において、前記入力系統と前記制御装置との間に、非反転入力に前記入力系統が接続され反転入力に基準電圧が接続された比較器と、アノードが前記比較器の出力に接続されカソードが前記制御装置に接続されたダイオードと、一端が前記ダイオードのアノードに接続され他端が接地されたコンデンサとからなる信号検出回路を備え、前記信号検出回路から出力される電圧が所定の電圧未満である場合は、該当する前記入力系統を入力系統の切り換えの際にスキップすることを特徴とする。
【００１１】
また本発明は、上記構成の信号処理装置において、前記入力系統が映像信号入力端子及び音声信号入力端子のうち少なくとも一方を有し、前記映像信号入力端子及び前記音声信号入力端子の少なくとも一方が前記信号検出回路に接続されることを特徴とする。
【００１２】
また本発明の信号処理装置は、上記構成の信号処理装置と、前記信号処理部に入力された信号のいずれかを出力する再生出力部とを備えることを特徴とする。
【発明の効果】
【００１３】
本発明によると、従来の構成の信号再生装置に比較器、ダイオード及びコンデンサからなる簡単な回路を設けるだけで入力系統に信号が入力されていることを検知でき、入力系統の切り換えの際に、ＡＶ機器が接続されていない入力系統やＡＶ機器からの信号が入力されていない入力系統をスキップできるため、素早く所望の入力系統を選択することができる。
【発明を実施するための最良の形態】
【００１４】
本発明の実施形態について図を用いて説明する。図１は本発明にかかる信号再生装置である表示装置のブロック図、図２は信号検出回路の回路図である。
【００１５】
表示装置１０は、図１に示すように、液晶パネルやＣＲＴなど映像を表示するものやスピーカーなど音声を出力するものからなる再生出力部１１、ビデオデッキやＤＶＤプレーヤなどのＡＶ機器を接続できる複数の入力系統１２ａ、１２ｂ、１２ｃ、１２ｄ、入力系統１２ａ、１２ｂ、１２ｃ、１２ｄから入力された信号を受信してそのいずれかの信号に基づく信号を再生出力部１１に出力する信号処理部１３、表示装置１０の動作全般を制御する制御装置１４、使用者が音量調整など直接表示装置１０を操作するための操作部１５、リモコン２０からの信号を受信してその信号に基づく信号を制御装置１４に送信するリモコン信号制御部１７を備える。
【００１６】
操作部１５及びリモコン２０には使用者が操作して再生出力部１１から出力する入力系統を入力系統１２ａ、１２ｂ、１２ｃ、１２ｄのいずれかから選択する入力系統切換ボタン１５ａ、２０ａが設けられており、信号処理部１３には入力系統切換ボタン１５ａ、２０ａの操作に基づいて再生出力部１１からの出力を入力系統１２ａ、１２ｂ、１２ｃ、１２ｄのいずれかの信号に切り換える入力切換部１３ａが設けられている。
【００１７】
各入力系統１２ａ、１２ｂ、１２ｃ、１２ｄには映像信号が入力される映像信号入力端子及び音声信号が入力される音声信号入力端子が設けられている。映像信号入力端子はＳ端子やＣＶＢＳ（Ｃｏｍｐｏｓｉｔｅ  Ｖｉｄｅｏ  Ｂｕｒｓｔ  Ｓｉｇｎａｌ）端子などであり、各入力系統１２ａ、１２ｂ、１２ｃ、１２ｄはこれらの端子を複数備えるものであってもよい。
【００１８】
表示装置１０の入力系統切換は順次切り換え式であり、入力系統切換ボタン１５ａ、２０ａを押すたびに、制御装置１４ではその信号を受け、信号処理部１３の入力切換部１３ａに入力系統を切り換える信号を送り、入力切換部１３ａによって入力系統が入力系統１２ａ、入力系統１２ｂ、入力系統１２ｃ、入力系統１２ｄ、入力系統１２ａの順に切り換えられる。
【００１９】
本実施形態において、入力系統１２ａ、１２ｂ、１２ｃ、１２ｄの映像信号入力端子と、制御装置１４との間には、それぞれ信号検出回路３０ａ、３０ｂ、３０ｃ、３０ｄが設けられている。信号検出回路３０ａ、３０ｂ、３０ｃ、３０ｄは、図２に示すように、比較器３１、ダイオード３３及びコンデンサ３４を備える。図２には入力系統１２ａについてのみ示しており、以下では入力系統１２ａを例に説明するが、他の入力系統についても同様である。
【００２０】
比較器３１の反転入力端子（＋）には入力系統１２ａの映像信号入力端子が、非反転入力端子（−）には基準電圧Ｖｒｅｆが接続され、出力端子にはダイオード３３のアノードが接続されている。ダイオード３３のカソードはコンデンサ３４の一端及び制御装置１４が接続され、コンデンサ３４の他端は接地されており、ダイオード３３とコンデンサ３４で整流器３２を構成する。
【００２１】
入力系統１２ａの映像信号入力端子に入力された信号の電圧が基準電圧Ｖｒｅｆ（例えば０．２Ｖ）を超えると比較器３１の出力端子から所定の電圧Ｖ１(例えば２．０Ｖ)以上の電圧が出力され、映像信号入力端子に入力された信号の電圧が基準電圧Ｖｒｅｆ以下であると比較器３１の出力端子からは電圧が出力されない。比較器３１の出力端子から出力された電圧からなる信号は、整流器３２によって平滑化され、制御装置１４に入力される。制御装置１４では、信号検出回路３０ａから所定の電圧Ｖ２（例えば０．５Ｖ）以上の電圧が入力されると該当する入力系統の映像信号入力端子に信号が入力されていると認識する。
【００２２】
映像信号入力端子に入力された信号は、映像信号であり、再生出力部１１に出力する際に走査するために周期的に帰線期間と有効期間とを有する。映像信号は有効期間では基準電圧Ｖｒｅｆ以上となり、帰線期間では基準電圧Ｖｒｅｆ未満である。上記のような比較器３１、ダイオード３３及びコンデンサ３４からなる簡単な構成の信号検出回路３０ａ、３０ｂ、３０ｃ、３０ｄによって制御装置１４には映像信号が平滑化された信号が入力されるため、映像信号が映像信号入力端子に入力されている期間において、映像信号が電圧の低い帰線期間を含んでいても、映像信号入力端子に信号が入力されていることを制御装置１４で確実に検出することができる。
【００２３】
このように構成することにより、入力系統切換ボタン１５ａ、２０ａを押して入力系統を切り換える際に、制御装置１４によって映像信号が入力されていない入力系統をスキップすることが可能となる。
【００２４】
例えば、現時点で選択されているのが入力系統１２ｃ、映像信号が入力されているのが入力系統１２ｂ、１２ｃであり、 入力系統１２ａ、１２ｄには映像信号が入力されていないとする。この場合に、入力系統１２ｂを所望しているとすると、従来は入力系統切換ボタン１５ａ、２０ａを合計３回押して入力系統１２ｃから入力系統１２ｄ、１２ａ、１２ｂと切り換えなければならなかった。しかし本発明によれば、映像信号が入力されていない入力系統１２ａ、１２ｄはスキップされるため、入力系統切換ボタン１５ａ、２０ａのいずれかを１回押すだけで素早く入力系統１２ｂを選択することができる。
【００２５】
また、本実施形態において、入力系統１２ａ、１２ｂ、１２ｃ、１２ｄのいずれかに接続された機器で画像の再生を開始すると、表示装置１０の制御装置１４でその機器からの信号を検知してその機器の接続された入力系統を選択するようにしてもよい。これにより、入力系統切換ボタン１５ａ、２０ａを操作しなくても、所望の機器を操作するだけでその機器が接続された入力系統を自動的に選択することができる。この場合、他の入力系統がすでに選択され、複数の入力系統で信号が入力された状態であってもよく、最後に入力が開始された入力系統を優先して選択すればよい。
【００２６】
また、本実施形態において、表示装置１０が待機状態である場合に、入力系統１２ａ、１２ｂ、１２ｃ、１２ｄのいずれかに接続された機器で画像の再生を開始すると、制御装置１４でその機器からの信号を検知して表示装置１０の主電源を入れるとともにその機器の接続された入力系統を選択するようにしてもよい。これにより、表示装置１０を操作しなくても、所望の機器を操作するだけで表示装置１０の主電源を入れ、その機器が接続された入力系統を自動的に選択することができる。
【００２７】
また、上述のいずれの場合においても、入力系統１２ａ、１２ｂ、１２ｃ、１２ｄのいずれに信号が入力されているかを、制御装置１４によってＯＳＤで表示するようにしてもよい。
【００２８】
なお、信号検出回路３０ａ、３０ｂ、３０ｃ、３０ｄに接続されるのは、各入力系統１２ａ、１２ｂ、１２ｃ、１２ｄの映像信号入力端子に限られず、音声信号入力端子であってもよいし、映像信号入力端子及び音声信号入力端子の両方であってもよい。音声信号入力端子が接続されている場合は音声信号、映像信号入力端子及び音声信号入力端子の両方が接続されている場合は映像信号及び音声信号の少なくとも一方が入力されていることを検知することができ、いずれの場合も表示装置１０において上述の動作をさせることができる。
【００２９】
ここで、図３に、周期６３．５μｓｅｃ（周波数１５．７５ｋＨｚ）、有効期間５２．７μｓｅｃ、帰線期間１０．８μｓｅｃの映像信号が映像信号入力端子に入力されている場合の、信号検出回路３０ａから制御装置１４に入力される信号の電圧の変化のグラフを示す。図３のグラフは横軸を時間、縦軸を電圧としており、実線で示した制御装置１４に入力される信号に加えて、映像信号入力端子に入力される信号を破線で示している。なお、信号検出回路３０ｂ、３０ｃ、３０ｄでも同様の結果が得られた。
【００３０】
時間０で映像信号入力端子に信号の入力が開始されると、図３からわかるように信号検出回路３０ａから制御装置１４に入力される信号の電圧は上昇し始め、４５μｓｅｃで０．５Ｖとなり、１３０μｓｅｃで２．３Ｖに到達してほぼ安定する。制御装置１４では所定の電圧Ｖ２（例えば０．５Ｖ）以上の電圧が入力されると映像信号入力端子に信号が入力されていると認識される。そのため、入力される電圧が０．５Ｖ以上となる、映像信号が入力されはじめてから４５μｓｅｃ以降の時点、即ち映像信号の０．８周期目以降に制御装置１４によって切り換えの際にスキップしないようにすることによって、映像信号が入力されている入力系統をスキップしてしまう可能性を低減することができる。
【００３１】
なお、表示装置１０はテレビ信号受信部を備えるものであってもよいし、音声のみを再生出力するものであってもよい。テレビ信号受信部を備える場合は、テレビ信号受信部を入力系統のひとつとして扱うようにしてもよい。
【産業上の利用可能性】
【００３２】
本発明は、順次切り換え式の切換スイッチにより切り換えられる入力系統を有する電子機器に用いることができる。
【図面の簡単な説明】
【００３３】
【図１】本発明にかかる信号再生装置である表示装置のブロック図
【図２】本発明にかかる信号検出回路の回路図
【図３】信号検出回路から制御装置に入力される信号の電圧の変化のグラフ
【符号の説明】
【００３４】
１０      表示装置
１１      再生出力部
１２ａ    入力系統
１２ｂ    入力系統
１２ｃ    入力系統
１２ｄ    入力系統
１３      信号処理部
１３ａ    入力切換部
１４      制御装置
１５      操作部
１５ａ    入力系統切換ボタン
１７      リモコン信号制御部
２０      リモコン
２０ａ    入力系統切換ボタン
３０ａ    信号検出回路
３０ｂ    信号検出回路
３０ｃ    信号検出回路
３０ｄ    信号検出回路
３１      比較器
３２      整流器
３３      ダイオード
３４      コンデンサ
【図１】
2008199239.tif 000003
【図２】
2008199239.tif 000004
【図３】
2008199239.tif 000005